(57)【要約】【課題】傘を開いたときに、主骨の強度を向上して、傘の開閉をスムーズに行えるように構成した実用的な逆閉じ用傘を提供すること。【解決手段】逆閉じ用傘１は、メインシャフト５とスライダシャフト１１とシリンダシャフト１４とを備えて３重軸構成とする。スライダシャフト１１の先端には、複数の主骨１２の一端を支持する主骨支持部１１３を備え、シリンダシャフト１４の元部には、複数の第１支骨１５の一端を支持する支骨支持部１４１を備える。第１支骨１５の他端は主骨１２に枢着されるとともに、第２支骨１６の一端を摺動可能に支持する。第２支骨１６の一端を、第１支骨１５の支骨嵌入溝１５１内に摺動可能に嵌合し、他端を主骨１２に枢着する。【選択図】図４
2011005224.tif 000002
【特許請求の範囲】
【請求項１】
柄部を有するメインシャフトと、前記メインシャフトに外嵌するとともに前記メインシャフトに対して摺動可能に配設されるスライダシャフトと、前記スライダシャフトに外嵌するとともに前記スライダシャフトに対して摺動可能に配設されるシリンダシャフトとを備えて３重軸構造に構成され、
前記スライダシャフトに一端を枢支されるとともに防水布を装着した主骨と、前記シリンダシャフトに一端を枢支されるとともに前記主骨にヒンジ結合された第１支骨とを備え、
傘を閉じている状態では、前記主骨は前記防水布とともに、前記メインシャフトの先端側に折り畳まれて、防水布の表面が内部に収納された状態にあり、
前記スライダシャフトを前記メインシャフトに対して先端側に摺動させるとともに、前記スライダシャフトを前記シリンダシャフトに対して先端側に摺動させることによって、前記主骨を前記第１支骨で支持固定して前記防水布を完全に開いた状態に作用させる逆閉じ用傘であって、
前記第１支骨には、一端が前記主骨における前記第１支骨のヒンジ結合部より先端側において、前記主骨にヒンジ結合された第２支骨の他端が装着されていることを特徴とする逆閉じ用傘。
【請求項２】
前記第１支骨には長手方向に沿って支骨嵌入溝が形成され、前記第２支骨の一端が前記支骨嵌入溝内を摺動可能に嵌入されていることを特徴とする請求項１記載の逆閉じ用傘。
【請求項３】
前記支骨嵌入溝は直線状に形成されるとともに、前記支骨嵌入溝におけるシリンダシャフト元部側の先端は、屈曲して形成されていることを特徴とする請求項２記載の逆閉じ用傘。
【請求項４】
前記主骨は、前記スライダシャフトの先端側に装着される主骨元部と、前記主骨元部の先端側で、前記主骨元部に枢支可能に配設される主骨本体とを備え、前記主骨本体が、先端部で枢支可能に配設される主骨先端部を備え、
前記第１支骨が、前記主骨に一端を枢支する第１リンク部の他端と、前記シリンダシャフトに一端を枢支する第２リンク部の他端とを、屈曲可能に連結し、
前記第２支骨が、前記主骨本体と前記第１支骨の第２リンク部とを枢支可能に連結するとともに、前記主骨と前記第１支骨とは、前記第１リンクと前記第２リンク部との屈曲部と前記主骨先端部とに枢支可能な補助支骨で連結されていることを特徴とする請求項１記載の逆閉じ用傘。
【請求項５】
前記シリンダシャフトには、元部側に前記第１支骨の一端を支持して前記スライダシャフトを外嵌する円環状の支骨支持部が配設されるとともに前記支骨支持部の内周面には、前記支骨支持部の内周面から軸心方向に向かって突出する突出片が配設され、
前記メインシャフトには、第１の長溝が軸方向に沿って形成され、
前記スライダシャフトには、前記メインシャフトの第１の長溝に対向する第２の長溝が形成され、
前記突出片が、前記第２の長溝を貫通して前記第１の長溝に走行可能に配設されていることを特徴とする請求項１，２，３又は４のいずれかに記載の逆閉じ用傘。
【請求項６】
前記スライダシャフトの第２の長溝は、元部側又は先端側において屈曲して形成されていることを特徴とする請求項５記載の逆閉じ用傘。
【請求項７】
前記スライダシャフトの内周面には、軸心方向に向かって突出可能な突出ピン部が配設され、
前記メインシャフトには、前記突出ピン部を前記メインシャフトの元部側位置で嵌入する元部側嵌入溝と、前記メインシャフトの先端側で嵌入する先端側嵌入溝とが形成されていることを特徴とする請求項１，２，３又は４のいずれかに記載の逆閉じ用傘。
【請求項８】
防水布の露先を収納・収納解除可能に構成する露先収納装置を備えるものであって、前記メインシャフトの先端部付近に配設されるとともに前記防水布の露先を収納可能な露先収納リングを備える露先収納部と、前記メインシャフトの元部付近に配設されたロック解除操作レバーを備えて、前記ロック解除操作レバーをロック位置とロック解除位置とに作用するロック機構部と、前記メインシャフト内に配設されて前記露先収納部と前記ロック機構部とを連接する押し上げロッドと、前記押し上げロッドを上方に付勢するコイルばねと、を備えて前記露先収納リングに前記露先を収納可能に構成されていることを特徴とする請求項１，２，３又は４のいずれかに記載の逆閉じ用傘。
【請求項９】
前記露先収納リングは、前記メインシャフトの上端部に配設された収納リング支持部材に摺動可能に外嵌されるとともに、前記収納リング支持部材に形成された溝内を上下動するストッパ部が配設され、前記ロック機構が、前記ロック解除操作レバーがロック位置とロック解除位置とを移動するためのスリット部を、水平方向と垂直方向に連接して形成していることを特徴とする請求項８記載の逆閉じ用傘。
【請求項１０】
前記メインシャフトの両端に、柄部を着脱可能とする着脱機構を備えるものであって、柄部の一端に装着可能なカバーリングと、前記柄部と前記メインシャフトとを連通する連結ピンと、前記カバーリングを前記連結ピンを覆うように摺動可能に配設される弾性手段とを備えて、前記柄部を前記メインシャフトに着脱可能に構成されていることを特徴とする請求項１，２，３又は４記載の逆閉じ用傘。
【請求項１１】
前記連結ピンは、略Ｔ字状に形成されるとともに、先端部を折り返し可能に形成し、前記柄部には、前記連結ピンの折り返し部に対向する位置に切り欠き部が形成されていることを特徴とする請求項１０記載の逆閉じ用傘。
【請求項１２】
前記主骨を前記防水布とともに自動開張する自動開張装置を備えるものであって、前記スライダシャフト内の先端部位に配設される先端側コイルばね用ストッパ片と前記メインシャフト内の中間部位に配設される元部側コイルばね用ストッパ片と、一端が前記先端側コイルばね用ストッパ片に係止され他端が前記元部側コイルばね用ストッパ片に係止されるコイルばねと、を備え、さらに、前記スライダシャフトを元部側に摺動させたときに、前記スライダシャフトの元部を係止する元部側フックと、前記元部側フックを押圧する係止解除ボタンと、を備えて構成され、前記元部側フックを前記スライダシャフトの元部から係止解除することにより自動開張可能に構成されていることを特徴とする請求項１，２，３又は４のいずれかに記載の逆閉じ用傘。
【請求項１３】
前記元部側フックが、前記メインシャフトの元部側において前記メインシャフトの外周面から突出したメインフックと、前記メインフックより先端側に配置されて前記メインフックの突出量より短い突出量で形成されたサブフックを備えて形成されていることを特徴とする請求項１２記載の逆閉じ用傘。
【発明の詳細な説明】
【技術分野】
【０００１】
本発明は雨に濡れた面を内部に収納できる逆閉じ用傘に関する。
【背景技術】
【０００２】
逆閉じ用傘は、特許文献１によって知られている。これによると、逆閉じ用傘は、メインシャフト、スライダシャフト、シリンダシャフトを有して３重軸構造を構成している。つまり、内側に配置されたメインシャフトには、柄部が装着され、メインシャフトに摺動可能に外嵌するスライダシャフトには、防水布を装着した主骨の一端が枢支されている。スライダシャフトを摺動可能に外嵌するシリンダシャフトには、元部側に支骨の一端が枢支される第２のスライダ部が配置され、支骨は他端で主骨に枢支されている。そして、傘が閉じている状態でスライダシャフトをメインシャフトに対して摺動すると傘が開き始め、さらに押し上げると、傘を完全に開いた状態に保持することができ、実用的に使用することができることとなっていた。
【０００３】
したがって、傘を閉じたときに、防水布の表面を主骨とともに内側に収納できることから、室内にあるときには、主骨の先端を上方に向けておくことによって、雨の雫を床面に垂らさずにおくことができることとなっていた。
【先行技術文献】
【特許文献】
【０００４】
【特許文献１】特許第４１０８７２０号公報
【発明の概要】
【発明が解決しようとする課題】
【０００５】
しかし、特許文献１に示されている逆閉じ用傘は、実用的に構成されているものの、さらに実用的に使用するために改良すべき課題が残されていた。つまり、主骨の強度を保つ状態で支骨を配置すると、スライダシャフトの押し上げ距離が長くなっていたことから、通常の傘の長さに対して主骨の長さが短くなり、そのため防水布が小さくなっていた。また、スライダシャフトの距離を短くするために、主骨の元部に支骨の一端を枢支すると、主骨の強度を弱くすることとなっていた。
【課題を解決するための手段】
【０００６】
本発明は、上述の課題を解決するものであり、実用的な傘であって、主骨の長さを長くして防水布を大きくするとともに、傘の開閉をさらにスムーズに行なうことができる逆閉じ用傘を提供することを目的とする。そのために本発明にかかわる逆閉じ用傘は、以下のように構成するものである。すなわち、
請求項１記載の発明では、柄部を有するメインシャフトと、前記メインシャフトに外嵌するとともに前記メインシャフトに対して摺動可能に配設されるスライダシャフトと、前記スライダシャフトに外嵌するとともに前記スライダシャフトに対して摺動可能に配設されるシリンダシャフトとを備えて３重軸構造に構成され、前記スライダシャフトに一端を枢支されるとともに防水布を装着した主骨と、前記シリンダシャフトに一端を枢支されるとともに前記主骨にヒンジ結合された第１支骨とを備え、傘を閉じている状態では、前記主骨は前記防水布とともに、前記メインシャフトの先端側に折り畳まれて、防水布の表面が内部に収納された状態にあり、前記スライダシャフトを前記メインシャフトに対して先端側に摺動させるとともに、前記スライダシャフトを前記シリンダシャフトに対して先端側に摺動させることによって、前記主骨を前記第１支骨で支持固定して前記防水布を完全に開いた状態に作用させる逆閉じ用傘であって、前記第１支骨には、一端が前記主骨における前記第１支骨のヒンジ結合部より先端側において、前記主骨にヒンジ結合された第２支骨の他端が装着されていることを特徴とするものである。
【０００７】
請求項２記載の発明は、請求項１の発明に係るものであって、前記第１支骨には長手方向に沿って支骨嵌入溝が形成され、前記第２支骨の一端が前記支骨嵌入溝内を摺動可能に嵌入されていることを特徴としている。
【０００８】
請求項３記載の発明は、請求項２の発明に係るものであって、前記支骨嵌入溝は直線状に形成されるとともに、前記支骨嵌入溝におけるシリンダシャフト元部側の先端は、屈曲して形成されていることを特徴としている。
【０００９】
請求項４記載の発明は、請求項１の発明に係るものであって、前記主骨は、前記スライダシャフトの先端側に装着される主骨元部と、前記主骨元部の先端側で、前記主骨元部に枢支可能に配設される主骨本体とを備え、前記主骨本体が、先端部で枢支可能に配設される主骨先端部を備え、前記第１支骨が、前記主骨に一端を枢支する第１リンク部の他端と、前記シリンダシャフトに一端を枢支する第２リンク部の他端とを、屈曲可能に連結し、前記第２支骨が、前記主骨本体と前記第１支骨の第２リンク部とを枢支可能に連結するとともに、前記主骨と前記第１支骨とは、前記第１リンクと前記第２リンク部との屈曲部と前記主骨先端部とに枢支可能な補助支骨で連結されていることを特徴としている。
【００１０】
請求項５記載の発明は、請求項１乃至４のいずれかの発明に係るものであって、前記シリンダシャフトには、元部側に前記第１支骨の一端を支持して前記スライダシャフトを外嵌する円環状の支骨支持部が配設されるとともに前記支骨支持部の内周面には、前記支骨支持部の内周面から軸心方向に向かって突出する突出片が配設され、前記メインシャフトには、第１の長溝が軸方向に沿って形成され、前記スライダシャフトには、前記メインシャフトの第１の長溝に対向する第２の長溝が形成され、前記突出片が、前記第２の長溝を貫通して前記第１の長溝に走行可能に配設されていることを特徴としている。
【００１１】
請求項６記載の発明は、請求項５の発明に係るものであって、前記スライダシャフトの第２の長溝は、元部側又は先端側において屈曲して形成されていることを特徴としている。
【００１２】
請求項７記載の発明は、請求項１乃至４のいずれかの発明に係るものであって、前記スライダシャフトの内周面には、軸心方向に向かって突出可能な突出ピン部が配設され、前記メインシャフトには、前記突出ピン部を前記メインシャフトの元部側位置で嵌入する元部側嵌入溝と、前記メインシャフトの先端側で嵌入する先端側嵌入溝とが形成されていることを特徴としている。
【００１３】
請求項８記載の発明は、請求項１乃至４のいずれかの発明に係るものであり、防水布の露先を収納・収納解除可能に構成する露先収納装置を備えるものであって、前記メインシャフトの先端部付近に配設されるとともに前記防水布の露先を収納可能な露先収納リングを備える露先収納部と、前記メインシャフトの元部付近に配設されたロック解除操作レバーを備えて、前記ロック解除操作レバーをロック位置とロック解除位置とに作用するロック機構部と、前記メインシャフト内に配設されて前記露先収納部と前記ロック機構部とを連接する押し上げロッドと、前記押し上げロッドを上方に付勢するコイルばねと、を備えて前記露先収納リングに前記露先を収納可能に構成されていることを特徴としている。
【００１４】
請求項９記載の発明は、請求項８の発明に係るものであって、前記露先収納リングは、前記メインシャフトの上端部に配設された収納リング支持部材に摺動可能に外嵌されるとともに、前記収納リング支持部材に形成された溝内を上下動するストッパ部が配設され、前記ロック機構が、前記ロック解除操作レバーがロック位置とロック解除位置とを移動するためのスリット部を、前記メインシャフトの水平方向と垂直方向に連接して形成していることを特徴としている。
【００１５】
請求項１０記載の発明は、請求項１乃至４のいずれかの発明に係るものであり、前記メインシャフトの両端に、柄部を着脱可能とする着脱機構を備えるものであって、柄部の一端に装着可能なカバーリングと、前記柄部と前記メインシャフトとを連通する連結ピンと、前記カバーリングを前記連結ピンを覆うように摺動可能に配設される弾性手段とを備えて、前記柄部を前記メインシャフトに着脱可能に構成されていることを特徴としている。
【００１６】
請求項１１記載の発明は、請求項１０の発明に係るものであって、前記連結ピンは、略Ｔ字状に形成されるとともに、先端部を折り返し可能に形成し、前記柄部には、前記連結ピンの折り返し部に対向する位置に切り欠き部が形成されていることを特徴としている。
【００１７】
請求項１２記載の発明は、請求項１乃至４のいずれかの発明に係るものであり、前記主骨を前記防水布とともに自動開張する自動開張装置を備えるものであって、前記スライダシャフト内の先端部位に配設される先端側コイルばね用ストッパ片と前記メインシャフト内の中間部位に配設される元部側コイルばね用ストッパ片と、一端が前記先端側コイルばね用ストッパ片に係止され他端が前記元部側コイルばね用ストッパ片に係止されるコイルばねと、を備え、さらに前記スライダシャフトを元部側に摺動させたときに、前記スライダシャフトの元部を係止する元部側フックと、前記元部側フックを押圧する係止解除ボタンと、を備えて構成されて、前記元部側フックを前記スライダシャフトの元部から係止解除することにより自動開張可能に構成されていることを特徴としている。
【００１８】
請求項１３記載の発明は、請求項１２の発明に係るものであって、前記元部側フックが、前記メインシャフトの元部側において前記メインシャフトの外周面から突出したメインフックと、前記メインフックより先端側に配置されて前記メインシャフトの突出量より短い突出量で形成されたサブフックを備えて形成されていることを特徴としている。
【発明の効果】
【００１９】
本発明の請求項１の構成によれば、傘を開く際には、先ず、スライダシャフトをメインシャフトに対して摺動させて所定位置まで押し上げる。その後、スライダシャフトをシリンダシャフトに対して先端側に移動することによりスライダシャフトに枢支された主骨が第１支骨に引き寄せられて、防水布とともに開く方向に広がる。第２支骨は、一端が主骨に枢支され、他端が第１支骨に支持されていることから、主骨が開くことにより、第２支骨が第１支骨の元部側から先端側に向かって移動する。主骨の先端部はスライダシャフトの先端部を中心にしてスライダシャフトの元部側に回動することになる。つまり傘を広げることとなる。
【００２０】
したがって、本発明によれば、シリンダシャフトをスライダシャフトに対して摺動させることによって傘の開閉を行うことができる。この際、第２支骨を設けることによって、第１支骨の主骨側との連結部位を主骨の元部側に配設することができる。そのため、スライダシャフト自体の移動量を短くすることができ、主骨を長くすることができる。その結果、防水布を大きくすることができる。また、第２支骨の連結部位を主骨の先端側に移動することができることによって、主骨の強度を増すことができる。
【００２１】
また、本発明の請求項２の構成によれば、第２支骨の一端は、第１支骨に対して、第１支骨の支骨嵌入溝内を摺動可能に構成されている。これによって、第２支骨は傘の開き(主骨の開き)に応じてその位置を変位することができることから、上述のように、第２支骨の他端を主骨の先端側に配設することが可能となり、スムーズな動きを行うことができる。この構成は、これに限定するものではなく、例えば、第２支骨が第１支骨を外嵌する筒状部を備えて、筒状部で第１支骨上を摺動するように構成してもよい。
【００２２】
また、本発明の請求項３の構成によれば、前述の支骨嵌入溝の場合、支骨嵌入溝元部側端面を屈曲させて形成すれば、第２支骨の一端が屈曲させた部位に入り込むことによって、傘の全開時に、第１支骨や主骨を保持するためのロック位置とすることができる。
【００２３】
また、本発明の請求項４の構成によれば、主骨が主骨元部と主骨本体を構成し、また、主骨本体が先端部に主骨先端部を枢支可能に形成している。第１支骨は第１リンク部と第２リンク部とを屈曲可能に形成し、第１支骨と主骨の主骨先端部とを補助支骨で枢支可能に連結しているから、主骨と第１支骨と第２支骨及び補助支骨でリンク機構が構成され、傘を開いたときには、主骨先端部が主骨本体に対して内側に屈曲できるように構成されることになる。したがって、主骨に装着される防水布は先端側で内側に屈曲することになるから、使用者を雨や風から守ることができる。
【００２４】
また、本発明の請求項５の構成によれば、シリンダシャフトの元部側に、支骨支持部が配設され、支骨支持部には内周面から軸方向に向かって突出する突出片が配設されている。この突出片は、シリンダシャフトをスライダシャフトに対して摺動する際、スライダシャフトの第２の長溝を貫通してメインシャフトの第１の長溝に沿って移動するから、シリンダシャフトを摺動させる際に傘の回転方向を規制して安定した動きを行えることができる。また、突出片を支骨支持部内に設けることによって、第１の長溝の上端部と下端部がシリンダシャフトの上下移動端のストッパ手段となり、特許文献１に構成された、シリンダシャフトをスライダシャフトに対して摺動させるためのストッパ部（ストッパフック）を、メインシャフトの外方に向けて配設する必要がないことから、ストッパ部（ストッパフック）で防水布に干渉することがない。そのため、防水布がストッパ部（ストッパフック）に絡んで傘の開閉を妨げることを防止できる。
【００２５】
また、本発明の請求項６の構成によれば、スライダシャフトに形成された第２の長溝を元部側に屈曲させることによって、防水布を閉じる際に、シリンダシャフトが回転することにより防水布の先端部を容易に巻き付けることができ、主骨を他部位に干渉させることなく収納できる。さらに、第２の長溝を先端側に屈曲させることによって、防水布を開く際に、シリンダシャフトが回転することにより主骨とシリンダシャフトの突出部とが干渉することがないから傘をスムーズに開くことができる。
【００２６】
本発明の請求項７の構成によれば、スライダシャフトの内周面に配設された突出ピン部は、メインシャフトに形成された元部側嵌入溝と、先端側嵌入溝とに嵌入可能に構成されている。つまり、メインシャフトから突出したフックストッパの替わりにスライダシャフト内周面に配置された突出ピン部で、傘を閉じた状態又は傘を開いた状態で保持することができることから、例えばメインシャフトから突出したフックストッパで防水布を絡めることがなく、傘の開閉をスムーズに行うことができる。
【００２７】
さらに本発明の請求項８の構成によれば、逆閉じ用傘は、露先収納装置を備えており、傘を閉じているときに、防水布の露先がばらつかないように露先収納リングで露先を収納することができる。つまり、露先収納リングは軸方向に移動可能に配設されて、傘を閉じているときには収納した各露先を覆うように露先を外嵌し、傘を開くときには、集合されている露先から離脱するように移動する。露先収納リングを、収納している露先から離脱する場合には、メインシャフトの元部付近に配設されたロック機構部のロック解除操作レバーを操作して押し上げロッドをロック解除位置に移動させることによって行う。ロック解除位置に移動された押し上げロッドは、コイルばねの付勢力により上方に移動され、移動された押し上げロッドで露先収納リングを押し上げることになる。
【００２８】
したがって、本発明では、傘を閉じる際に防水布の露先が収納されて防水布を開かずに畳むことができ、傘を開く際に露先は露先収納リングから離脱するから、ワンタッチで露先収納リングを露先から離脱することができる。
【００２９】
本発明の請求項９の構成によれば、露先収納リングは、メインシャフトの先端部に装着した収納リング支持部材の円周方向に沿って形成された溝幅内を上下動するように案内されているから、露先収納リングがメインシャフトから脱落することはない。また、ロック解除操作レバーを、メインシャフトの水平方向と垂直方向とに形成されたスリット部内をスライドさせることによって、押し上げロッドをロック解除位置に移動させることができる。
【００３０】
さらに、本発明の請求項１０の構成によれば、柄部をメインシャフトの両側のいずれかに装着するために、柄部着脱機構を備えている。この柄部着脱機構では、柄部をメインシャフトに装着した後、連結ピンを軸直交方向に差し込むことによって、柄部とメインシャフトとを連結する。つまり、柄部の端部に装着されたカバーリングを、上下移動することによって、連結ピンの装着と、装着された連結ピンのカバーを行うことができることから、差し込んだ連結ピンを脱落させないで、メインシャフトのいずれかの一方の端部に、柄部を装着することができる。
【００３１】
したがって、雨天で使用した傘を閉じて持ち歩く際、防水布を内部に収納した状態で、防水布の露先を上方に向けるように柄部を装着して持ち歩けば、雨の雫を床面に垂らすことはない。
【００３２】
また、本発明の請求項１１の発明によれば、連結ピンを略Ｔ字状に形成して、先端部を折り返し可能に形成すれば、カバーリングを摺動させる際に、連結ピンの先端折り返し部をメインシャフトの切り欠き部に収納することによって、カバーリング内に連結ピンを収納することができる。そのため、連結ピンの脱落防止を図ることができる。
【００３３】
さらに、本発明の請求項１２の構成によれば、逆閉じ用傘は、自動開張装置を備えているから、傘を開く際には、ワンタッチ操作で行なうことができる。つまり、傘を閉じた状態では、スライダシャフトの元部が元部側フックに係止されている。この状態では、メインシャフト内に配設されたコイルばねは圧縮されて、上方に付勢力を有している。係止解除ボタンを押すと、元部側フックがメインシャフト内に埋設され、元部側フックに係止されていたスライダシャフトの元部を開放する。開放されたスライダシャフトは、コイルばねの付勢力で上方に押し上げられる。スライダシャフトが押し上げられることによって主骨及び防水布が開き、コイルばねにさらに圧力を加えることによって、主骨が支骨で支持されて傘の開きを保持することができる。
【００３４】
上述のように本発明では、ワンタッチで主骨および防水布を開張できることから、例えば、雨天中における降車時や、部屋からの外出時において、また、荷物を多く持っている状態であるとき等、片手で簡単に傘を開くことができる。
【００３５】
また、本発明の請求項１３の構成によれば、元部側フックに、メインシャフトから突出して係止解除ボタンの付近に配設されたメインフックと、メインフックの上方位置で、メインフックの突出量より短い突出量のサブフックとを形成することによって、スライダシャフトの元部が、メインフックから係止解除した後にサブフックに係止することになる。そのため、傘を急激に開くことによるメインシャフト先端部の急な飛び出しを防止して、第３者に危害を加えることのないように構成している。
【図面の簡単な説明】
【００３６】
【図１】本発明の一形態による逆閉じ用傘を示す全体図である。
【図２】図１における逆閉じ用傘の開き始めを示す全体図である。
【図３】図１における逆閉じ用傘の開いた状態を示す全体図である。
【図４】図１における逆閉じ用傘の傘開閉部を示す一部主要断面図である。
【図５】図４における第１支骨と第２支骨の枢着状態を示す拡大一部正面図である。
【図６】同拡大一部平面図である。
【図７】シリンダシャフトの波状ガイド部の詳細を示す一部正面図である。
【図８】メインシャフトとスライダシャフトとシリンダシャフトの嵌合状態を示す断面図である。
【図９】スライダシャフトの下部周りを示す一部正面図である。
【図１０】メインシャフトの第１の長溝を示す一部正面図である。
【図１１】スライダシャフトの別の形態による第２の長溝を示す一部正面図である。
【図１２】別の形態によるスライダシャフトの突出ピン部を示す一部断面図である。
【図１３】本発明における逆閉じ用傘の露先収納装置を示す構成図である。
【図１４】図９の露先収納装置における露先収納リングを示す平面断面図である。
【図１５】図９の露先収納装置におけるロック解除レバーの作用を示す断面図である。
【図１６】本発明における逆閉じ用傘の柄部着脱装置を示す全体図である。
【図１７】同正面断面図である。
【図１８】同着脱用ピンを示す平面断面図である。
【図１９】図１４におけるカバーリングを下方に移動した状態を示す正面断面図である。
【図２０】本発明における逆閉じ用傘の自動開張装置を示す一部断面図である。
【図２１】図２０における元部側フックを示す拡大断面図である。
【図２２】図２０におけるメインシャフトに形成された各溝を示す一部正面図である。
【図２３】図２０におけるスライダシャフトの上端部を示す平面断面図である。
【図２４】第２の形態による傘開閉部における傘開閉部の全開状態の骨組み構造を示す要部断面図である。
【図２５】傘開閉部の全開状態に至るまでの作用状態を示す図である。
【発明を実施するための最良の形態】
【００３７】
次に、本発明の一形態による逆閉じ用傘について図面に基づいて説明する。
【００３８】
図１〜３は、逆閉じ用傘（以下、傘という）１の全体構成及び傘の開閉における各状態を示すものであり、図４は傘１の主要構成を示すものである。傘１は、傘開閉部３と、傘開閉部３を挿通するメインシャフト５とを有して構成され、傘開閉部３には、メインシャフト５を外嵌するスライダシャフト１１とスライダシャフト１１を外嵌するシリンダシャフト１４とが配置されている。図４に示すように、スライダシャフト１１の先端には、主骨１２及び防水布１３の一端が装着され、主骨１２の中間部には第１支骨１５の一端が枢着されている。また、第１支骨１５の他端は、シリンダシャフト１４の元部に枢着されている。さらに第１支骨１５の中間部には、第２支骨１６が摺動可能に装着されている。第２支骨１６の他端は主骨１２に枢着して配置されている。
【００３９】
つまり、図１は傘１を折り畳んで閉じた状態を示すものであり、図２は、スライダシャフト１１をメインシャフト５の先端側に摺動させるとともにシリンダシャフト１４をスライダシャフト１１に対して摺動させて、傘１の主骨１２や防水布１３を開き始めた状態(主骨が上方に開いている状態)を示すものである。さらに、図３は、シリンダシャフト１４をスライダシャフト１１に対してさらに摺動させて、主骨１２や防水布１３をさらに開いて保持された状態(主骨が下方に向かって開いた状態)を示すものである。
【００４０】
メインシャフト５には、元部（図１における下部）に柄部６が装着され、先端部（図１における上部）には主骨１２の元部を押える後述の露先支持キャップ２２と防水布１３の露先収納リング支持部材２４が配置されている。さらに、メインシャフト５の元部側には、柄部６の上方に、後述の傘開閉部３を開くための押しボタン５６が配置されている。
【００４１】
傘開閉部３を詳細に説明すると、図４に示すように、メインシャフト５を外嵌走行するスライダシャフト１１と、スライダシャフト１１を外嵌走行するシリンダシャフト１４とが配置され、メインシャフト５を含んで三重軸構造をなしている。
【００４２】
スライダシャフト１１は、胴体部１１１を間にして下部に拡径状の手押し部１１２と上部に主骨１２の一端を枢着する拡径状の主骨支持部１１３を有して筒状に形成されている。また、手押し部１１２の上方には、後述のフック部に係止するフック係止溝１１５(図９参照)が形成されている。
【００４３】
主骨１２は、主骨支持部１１３を中心にして放射線状に複数配置されるとともに外面に防水布１３を装着している。主骨１２は、防水布１３の広い部分を装着する主骨本体１２１と主骨支持部１１３に固着される主骨元部１２２とに分割して形成し、主骨本体１２１と主骨元部１２２とを枢着ピン１２３で枢着している。これによって、傘を閉じる際に、主骨１２は、主骨本体１２１と主骨元部１２２との間で折曲することができる。そのため、主骨１２が開いた状態の位置に移行しても、折曲することによって、主骨１２の先端部外周を最大径とすることがないから、防水布１３の外側へ広げることがなく、傘開閉部３を閉じる際にスムーズに行うことができる。
【００４４】
また、主骨本体１２１の中間部には、第１支骨１５の一端を枢着するための第１の取付け片１２４が配置され、第１の取付け片１２４より先端側に、第２支骨１６の一端を枢着するための第２の取付け片１２５が配置されている。
【００４５】
第１支骨１５は、下部を開口したコ字状に形成されて、一端が主骨１２の第１の取付け片１２４にヒンジ結合され、他端がシリンダシャフト１４の元部に配置された後述の支骨支持部１４１に摺動可能に枢着されている。第１支骨１５には、側部に、図５〜６に示すように、長手方向に沿って支骨嵌入溝１５１が形成され、第２支骨１６の一端が摺動可能に嵌入されている。支骨嵌入溝１５１におけるシリンダシャフト１４の元部側（支骨支持部１４１側）の端部は屈曲部１５２が形成され、主骨１２の全開時に、主骨１２の開き位置を保持できるようにロック機構を構成している。
【００４６】
第２支骨１６は、一端が主骨１２の第２の取付け片１２５(図４参照)にヒンジ結合され、他端が第１支骨１５の支骨嵌入溝１５１内に摺動可能に装着されている。第２支骨１６の一端に支骨嵌入溝１５１に嵌入する枢着ピン１６１が挿入され、枢着ピン１６１の両端には、第２支骨１６の両側面を外面に配置するガイド板１６２が装着され、枢着ピン１６１が支骨嵌入溝１５１内を走行する際の走行ガイドとしている。
【００４７】
なお、第１支骨１５には、第２支骨１６が、支骨嵌入溝１５１の屈曲部１５２に嵌入する際の、逃がし溝１５３が屈曲部１５２の上面に形成されている。
【００４８】
シリンダシャフト１４は、図４に示すように、元部にスライダシャフト１１の胴体部１１１を外嵌走行して第１支骨１５の一端を支持する支骨支持部１４１と、支骨支持部１４１の上方に隣接して配置され防水布１３を収納する布収納筒部１４２と、を備えて構成されている。布収納筒部１４２の上面は、複数の山部を有して波状に形成した波状ガイド部１４３としている。図７に示すように、波状ガイド部１４３は、突出部１４３ａと開口部１４３ｂとからなり、突出部１４３ａで主骨元部１２２及び主骨本体１２１をばらつかせないように押える作用を行い、開口部１４３ｂに主骨１２が入り込んで開張することによって主骨１２と突出部１４３ａとの干渉を防ぎ、傘を開く際のスムーズな作用を保証することになる。
【００４９】
また、布収納筒部１４２内には、下端が支骨支持部１４１の下端面に掛止され、上端がスライダシャフト１１に配置された主骨支持部１１３の上端面に掛止する引張コイルばね１７が、スライダシャフト１１の胴体部１１１に外装されている。
【００５０】
支骨支持部１４１の外周面には、第１支骨１５の本数に合わせて等分位置に縦溝１４１ａが形成され、縦溝１４１ａに、第１支骨１５の一端がヒンジ結合されている。
【００５１】
次に、メインシャフト５とスライダシャフト１１及びシリンダシャフト１４との嵌合状態について図８〜９に基づいて説明する。
【００５２】
筒状に形成されたメインシャフト５の外周面には、シリンダシャフト１４の支骨支持部１４１を通る部位を含めて、軸方向に沿って軸心に対して相対する位置に、第１の長溝５０１が一対形成されている。また、筒状に形成されたスライダシャフト１１には、メインシャフト５の第１の長溝５０１に対向する位置に一対の第２の長溝１１４が形成されている。第２の長溝１１４は、直線部１１４ａと直線部１１４ａの下部に形成された屈曲部１１４ｂとを有している。筒状に形成されたシリンダシャフト１４の支骨支持部１４１の内周面には、第１の長溝５０１及び第２の長溝１１４に対向する位置に、軸心に向かって突出する突出片１４４が配置されている。スライダシャフト１１の一対の第２の長溝１１４は、下部(手押し部１１２側)において屈曲して形成されている。なお、メインシャフト５の第１の長溝５０１の上端部は横方向に屈曲して形成され、突出片１４４の逃げ部５０１ｘとしている。
【００５３】
つまり、シリンダシャフト１４を上下方向に移動する際は、突出片１４４がスライダシャフト１１の第２の長溝１１４を貫通してメインシャフト５の第１の長溝５０１に挿入して摺動することとなる。そして、傘を閉じるとき、つまり防水布１３を閉じる際には、突出片１４４は第２の長溝１１４の屈曲部１１４ｂから直線部１１４ａに移動することによって、シリンダシャフト１４をスライダシャフト１１の外周面の周りを回転することになる。これによってスライダシャフト１１に一端を支持した防水布１３は、閉じられる最終段階でスライダシャフト１１とともに回転するから、布収納筒部１４２に巻付けられながら収納されることとなる。
【００５４】
この構成によると、シリンダシャフト１４に配置される突出片１４４は、メインシャフト５の第１の長溝５０１を摺動する際に、突出片１４４が、メインシャフト５の第１の長溝５０１の先端５０１ａに当接することによって、図９に示すように、シリンダシャフト１４がメインシャフト５に対する移動ストッパとなるから、シリンダシャフト１４がスライダシャフト１１に対して摺動することになって主骨１２を開くことができる。また、突出片１４４がメインシャフト５の第１の長溝５０１の元部端５０１ｂに当接することによって、シリンダシャフト１４がメインシャフト５に対する元部端５０１ｂでの移動ストッパとなるから、シリンダシャフト１４がスライダシャフト１１に対して摺動することになって主骨１２を閉じることができる。そのため、この機能を有するストッパ部材をメインシャフト５自体に配置することを必要としない。これにより、防水布１３を閉じる際に、前述のストッパ部材を防水布１３に干渉させることがない。そのため、防水布１３の収納をスムーズに行うことができる。
【００５５】
なお、図１１に示すように、スライダシャフト１１に形成された第２の長溝１１４は、直線部１１４ａの先端部で屈曲して形成されていてもよい。つまり、直線部１１４ａの先端に連接された屈曲部１１４ｃを形成することによって、傘１を開く際に主骨１２に干渉させずに開くことができるから、傘の開きをスムーズに行うことができる。また、第１の長溝５０１は、メインシャフト５に対向する位置にメインシャフト５の軸方向に沿って一対形成されているが、一対ではなくてもよい。また、スライダシャフト１１に形成される第２の長溝１１４も一対でなくてもよい。
【００５６】
また、別の形態では、図１２に示すように、メインシャフト５には、スライダシャフト１１の内周面に配置された突出ピン部１１６の嵌入する元部側嵌入溝５ａと先端側嵌入溝５ｂを設けてもよい。突出ピン部１１６はコイルばね１１７によって元部側嵌入溝５ａ側又は先端側嵌入溝５ｂ側に嵌入可能に付勢されている。突出ピン部１１６が元部側嵌入溝５ａに嵌入することによって、傘１を閉じた状態を維持することになり、突出ピン部１１６が先端側嵌入溝５ｂに嵌入することによって、傘１を開いた状態で保持することとなる。この突出ピン部１１６は、メインシャフト５側から外方に突出して設けられているわけではなくスライダシャフト１１の内周面に内方に向かって突出しているから、傘１の開閉の際、防水布１３と絡むことがなくスムーズに作用することができる。
【００５７】
次に、防水布１３の露先１３１を収納する露先収納装置について、図１３〜１５に基づいて説明する。露先１３１は、各主骨１２の先端に装着されるとともに防水布１３（図４参照）の一端を装着して、防水布１３を安定して広げることができるようにするものである。
【００５８】
露先収納装置２０は、メインシャフト５の先端部付近に配置された露先収納部２１と、メインシャフト５の元部付近に配置されて押し上げロッド２５で連結されたロック機構部２７と、を備えて構成されている。
【００５９】
露先収納部２１は、メインシャフト５の先端側に装着された露先支持キャップ２２と、各露先１３１の先端を囲撓可能に上下移動する露先収納リング２３と、露先収納リング２３を支持する露先収納リング支持部材２４と、を備えて構成されている。露先支持キャップ２２には、防水布１３を閉じたときに、その先端部の露先１３１を係合する複数の係合溝２２１が形成されている。露先収納リング２３は、リング状の収納筒部２３１と収納筒部２３１の軸方向における中間部位において軸心を通り直径方向に延設して収納筒部２３１の内周面に連結する板状のストッパ部２３２を有して形成されている。ストッパ部２３２の軸心部は、押し上げロッド２５の先端部を挿通するためにリング状に形成されるとともに、露先収納リング２３を上方に付勢する上部側コイルばね２６の一端を係止する広幅の掛止面２３２ａとされている。露先収納リング支持部材２４は、メインシャフト５に装着される円筒状に形成され、下端部は、露先１３１の先端が当接する傾斜面２４１に形成され、軸方向中間部には、露先収納リング２３のストッパ部２３２を収納するための溝部２４２が形成されている。
【００６０】
この溝部２４２は、ストッパ部２３２の上下方向の厚みより大きく形成され、上端面がストッパ部２３２の上限位置となる上限ストッパ面２４２ａとして形成され、下端面がストッパ部２３２の下限位置となる下限ストッパ面２４２ｂとして形成されている。ストッパ部２３２が上限ストッパ面２４２ａに当接すると、露先収納リング２３は、防水布１３の露先１３１を開放して、傘開閉部３を開く状態にすることができ、ストッパ部２３２が下限ストッパ面２４２ｂに当接すると、露先収納リング２３は、傘開閉部３を閉じたときに露先１３１を収納できることとなる。
【００６１】
ロック機構部２７は、メインシャフト５の元部付近に形成されたスリット部２８と押し上げロッド２５の下端に装着されたロック解除操作レバー２９と、ロック解除操作レバー２９の下方に配置されて押し上げロッド２５を上方に付勢するように外嵌する下部側コイルばね３０と、を備えて構成されている。スリット部２８は、軸直交方向に形成される水平スリット２８１と、水平スリット２８１の一端に連接されて水平スリット２８１より上方に延びる垂直スリット２８２とを有している。ロック解除操作レバー２９は、水平スリット２８１及び垂直スリット２８２より幅が小さく形成されて、水平スリット２８１及び垂直スリット２８２内を摺動する。そして、図１５に示すように、ロック解除操作レバー２９が水平スリット２８１から垂直スリット２８２内に移動すると、下部側コイルばね３０の付勢力で押し上げロッド２５を上方に移動させて、露先収納リング２３を露先１３１から離脱させることとなる。なお、符号５６は、後述の押しボタンを示している。
【００６２】
次に、メインシャフト５の両端に柄部６を装着できるように構成する柄部６の着脱装置(単に着脱装置ともいう)４０について図１６〜１９に基づいて説明する。
【００６３】
図１６〜１９に示すように、柄部６はＵ字状又はＪ字状に形成されてメインシャフト５の元部に装着されている。着脱装置４０は、柄部６のメインシャフト５の装着側の一端に装着されるカバーリング４１と、柄部６とメインシャフト５とを連結する着脱用ピン４２と、カバーリング４１内に配置される波状板バネ４３とを備えて構成されている。メインシャフト５の両端部は、先細り状のテーパ面が形成され、柄部６に形成されたテーパ孔に装着可能としている。また、図１８に示すように、柄部６には、メインシャフト５の装着側端部付近において、先端部から離隔した位置に円周方向に沿って第１の一部切欠部６１と軸心に対して相対する側に第２の一部切欠部６２が形成され、第１の一部切欠部６１及び第２の一部切欠部６２の下方の位置で全周にわたって配置された全面切欠部６３が形成されている。第１の一部切欠部６１と第２の一部切欠部６２は、柄部６に形成されたピン挿通孔６１ａ、６２ａに連通されている。メインシャフト５には、第１の一部切欠部６１と第２の一部切欠部６２に対向するピン挿通孔５０２が形成されている。
【００６４】
カバーリング４１は、図１７に示すように、柄部６の外周面を覆うリング状に形成された本体部４１１と、本体部４１１の中間部位で本体部４１１の内周面から全周にわたって内方に突出するとともに柄部６の全面切欠部６３内の上端部付近に配置された突出リング４１２と、を備えて形成されている。カバーリング４１は、図１８に示すように、柄部６に形成された第１の一部切欠部６１と第２の一部切欠部６２、及び全面切欠部６３を覆うことができるように摺動可能に装着されている。
【００６５】
着脱用ピン４２は、図１８に示すように、柄部６のピン挿通孔６ａ及びメインシャフト５のピン挿通孔５０２を挿通可能に形成されている。着脱用ピン４２は、略Ｔ字状に形成された長尺ピン４２１と、先端に折り返し可能な短尺ピン４２２とを備えている。長尺ピン４２１の頭部は第１の一部切欠部６１に沿って円弧状に形成されて第１の一部切欠部６１内に収納され、先端部がメインシャフト５のピン挿通孔５０２を通って第２の一部切欠部６２内に突入している。短尺ピン４２２は、第２の一部切欠部６２部位において、長尺ピン４２１に枢着されている。従って、着脱用ピン４２は、柄部６及びメインシャフト５を挿通した後、短尺ピン４２２を折り返して第２の一部切欠部６２内に収納する。これによって、着脱用ピン４２は、柄部６の外周面を越えることなく柄部６内に収納できるから、カバーリング４１は挿通された着脱用ピン４２を被せることによって、着脱用ピン４２の脱落を防止することができる。
【００６６】
一方、波状板バネ４３は、全面切欠部６３内に収納されて上端部をカバーリング４１の突出リング４１２に当接されている。したがって、カバーリング４１を手で下方に移動させると、図１９に示すように、波状板バネ４３は下方に押圧されて平面状態となるように変形される。このため、突出リング４１２を上方に押し上げるような付勢力を発生する。そして、カバーリング４１を下方に下げることによって、カバーリング４１で覆われていた着脱用ピン４２が現れることになり、着脱用ピン４２の柄部６からの着脱を行うことができる。
【００６７】
次に、傘開閉部３を開く際に、片手で容易に主骨１２及び防水布１３を開張する自動開張装置について図２０〜２２に基づいて説明する。
【００６８】
自動開張装置５０は、スライダシャフト１１の主骨支持部１１３に装着された第１のストッパ板５１と、メインシャフト５の下部に装着された第２のストッパ板５２と、第１のストッパ板５１と第２のストッパ板５２とに両端を係止する圧縮コイルばね５３と、第２のストッパ板５２の下方に配置されてメインシャフト５内に挿入された元部側フック５４とを備えて構成されている。
【００６９】
元部側フック５４は、図２０〜２１に示すように、先端にメインシャフト５の内周面に当接する支点部５５と、元部にメインシャフト５から外方に突出する押しボタン５６と、を有してメインシャフト５内を挿通する胴体部５７が形成されている。支点部５５と押しボタン５６との間には、下部にメインフック５８がメインシャフト５から突出して配置され、上部にサブフック５９がメインシャフト５から突出可能に配置されている。
【００７０】
図２１〜２２に示すように、押しボタン５６はメインシャフト５の下部に形成された押しボタン用溝５０３に挿通して配置されている。メインフック５８は、メインシャフト５に形成されたメインフック用溝５０４に出入可能に配置されている。サブフック５９は、メインシャフト５に形成されたサブフック用溝５０５に出入可能に配置されている。サブフック５９はメインフック５８より、メインシャフト５の外方への突出量を短く形成している。
【００７１】
元部側フック５４は、支点部５５をメインシャフト５の内周面に当接させて、支点部５５とサブフック５９との間の背部５７１側を、支点部５５とは反対側のメインシャフト５内周面に当接させた状態で、胴体部５７の下端部を、図２０において左傾させている。つまり、押しボタン５６をメインシャフト５の内周面側向かって押し込むと、メインフック５８とサブフック５９が、メインシャフト５内に向かって移動できるように構成している。メインフック５８及びサブフック５９は、スライダシャフト１１の手押し部１１２の直上に形成されたフック係止溝１１５(図９及び図２１参照)に係止可能に形成されている。押しボタン５６の操作でフック係止溝１１５がメインフック５８から解除されると、スライダシャフト１１は圧縮コイルばね５３の付勢力で上昇するものの、フック係止溝１１５がサブフック５９に係止されてスライダシャフト１１の上昇は一旦停止する。フック係止溝１１５がサブフック５９に係止された状態で、さらに押しボタン５６を押し込むと、フック係止溝１１５はサブフック５９から解除されて、スライダシャフト１１は再び上昇することになる。これによって、主骨１２及び防水布１３は開張することになり、シリンダシャフト１４の支骨支持部１４１をさらに押し上げることによって、傘１は、完全に開張することになる。
【００７２】
サブフック５９で、一旦スライダシャフト１１の上昇を停止することにより、傘開閉部３を急激に開張することを防止する。そのため、第３者に危険が及ぶことを防止することができる。
【００７３】
なお、実施形態の押しボタン５６は、露先収納装置２０のロック解除操作レバー２９が操作される前において、重なる位置にあり、押しボタン５６がロック解除操作レバー２９の内側に配置されている。これによって、自動開張装置５０は、露先収納装置２０を操作する前では操作できないことになって、安全対策を図ることができる。
【００７４】
また、図２２〜２３に示すように、メインシャフト５には、長手方向の１箇所において、ストッパガイド用スリット５０６が形成され、第１のストッパ板５１に主骨支持部１１３に連結する連結部５１１がストッパガイド用スリット５０６を挿通して配置されている。
【００７５】
次に、上述のように構成された傘１の作用について説明する。
【００７６】
傘開閉部３が閉じている状態では、図１に示すように、スライダシャフト１１の手押し部１１２はメインシャフト５の柄部６に接近した位置にあり、メインシャフト５の元部側に柄部６が装着されている。主骨１２及び防水布１３は上方に向けて閉じた状態にある。この状態では、図１３に示すように、防水布１３の露先１３１は、露先収納装置２０の露先収納リング２３で覆われて収納された状態にある。また、図２０に示すように、スライダシャフト１１のフック係止溝１１５が自動開張装置５０のメインフック５８に係止されている。なお、柄部６は、メインシャフト５との間で回転防止されている。
【００７７】
また、この状態では、防水布１３の表面（雨に直接濡れる面）は、主骨１２とともに、その元部側の一部が、シリンダシャフト１４の布収納筒部１４２内に折り畳まれている。
【００７８】
次に、傘開閉部３を開く場合、まず、露先収納装置２０のロック解除操作レバー２９をメインシャフト５に形成された水平スリット２８１に沿って水平方向に移動し、その後、垂直スリット２８２内に収納する。垂直スリット２８２に収納したロック解除操作レバー２９は、上方部位が開放されていることから、下部側コイルばね３０の付勢力により押し上げロッド２５を上方に移動させる。これによって、押し上げロッド２５の上部で連結された露先収納リング２３が防水布１３の露先１３１から離脱することになって、露先１３１は露先収納リング２３から開放される。次に自動開張装置５０の押しボタン５６を押し込むように操作する。
【００７９】
なお、上述のように、実施形態の押しボタン５６を操作する場合、露先収納装置２０のロック解除操作レバー２９を押しボタン５６と重なる位置から解除することによって、初めて操作できる。
【００８０】
押しボタン５６を押し込むことによって、メインフック５８がスライダシャフト１１のフック係止溝１１５から解除される。すると、スライダシャフト１１は、圧縮コイルばね５３の付勢力によって、メインシャフト５に対して摺動することになりシリンダシャフト１４とともに上方に移動する。圧縮コイルばね５３は、略最大限に圧縮されている状態にあることから、その付勢力は大きい。そのためスライダシャフト１１は急激な上方移動を行う。
【００８１】
しかし、スライダシャフト１１の急激な上方への移動は、フック係止溝１１５がサブフック５９に係止されることによってその移動を停止する。押しボタン５６をさらに押し込むことによって、フック係止溝１１５がサブフック５９から解除され、再び上方への移動を開始する。
【００８２】
スライダシャフト１１とシリンダシャフト１４が上昇する際、シリンダシャフト１４の突出片１４４は、スライダシャフト１１の第２の長溝１１４を貫通してメインシャフト５の第１の長溝５０１に係合しているから、スライダシャフト１１とシリンダシャフト１４は、メインシャフト５に対して回転することなく上昇移動を行う。シリンダシャフト１４がメインシャフと５の第１の長溝５０１の上端位置に達すると、シリンダシャフト１４はその上昇を停止し、スライダシャフト１１がシリンダシャフト１４に対して上昇することになる。
【００８３】
この際、主骨支持部１１３と支骨支持部１４１との間を掛止している引張コイルばね１７は圧縮状態にある。
【００８４】
そして、図４に示すように、この状態でスライダシャフト１１がシリンダシャフト１４に対して上昇すると、つまり、主骨支持部１１３を引張コイルばね１７の付勢力に抗して上方（露先支持キャップ２２）に向かって移動させると、シリンダシャフト１４は、スライダシャフト１１に対して相対的に下方に移動することになり、支骨支持部１４１を下方に押し下げることとなる。支骨支持部１４１に枢支された第１支骨１５は、主骨１２にヒンジ結合されていることから主骨１２を引き下げることとなる。従って、第１支骨１５は、図２に示すように、支骨支持部１４１に対して広げる方向に回動され、主骨１２は、主骨支持部１１３に対して広げる方向に回動される。さらに、第２支骨１６は、第１支骨１５の支骨嵌入溝１５１内を主骨１２側から支骨支持部１４１側に向かって摺動する。
【００８５】
さらに、スライダシャフト１１に圧力を加え続けると、主骨支持部１１３は露先支持キャップ２２に当接し、第２支骨１６は、支骨嵌入溝１５１の屈曲部１５２に移動して主骨１２及び第１支骨１５を開いた状態で保持することになる。
【００８６】
次に、傘開閉部３を閉じる際の作用について説明する。傘開閉部３を閉じる場合には、スライダシャフト１１の手押し部１１２をメインシャフト５の元部側に引っ張ることによって行う。すると、引張コイルばね１７の付勢力が、主骨支持部１１３と支骨支持部１４１とを接近させる方向に働く。つまり、主骨支持部１１３を露先支持キャップ２２から離隔することとなり、第１支骨１５を支骨支持部１４１に対して閉じる方向に回動させ、第２支骨１６を支骨嵌入溝１５１内における主骨１２の枢着点側に摺動させる。一方、主骨１２も主骨支持部１１３に対して閉じる方向に回動して第１支骨１５と第２支骨１６及び主骨１２とを防水布１３とともにメインシャフト５側に向けて移動する。
【００８７】
そして、主骨支持部１１３がシリンダシャフト１４の布収納筒部１４２内に収納されると、主骨１２の中央部側元部が防水布１３の元部とともに布収納筒部１４２内に波状ガイド部１４３に案内されながら収納されることとなる。波状ガイド部１４３は、それぞれの主骨１２と同数に形成されていることにより、防水布１３の元部は、スライダシャフト１１の胴体部１１１の周りで偏った重なりを起こすことなく波状ガイド部１４３に沿って収納される。従って、防水布１３をスムーズに閉じることができる。
【００８８】
また、スライダシャフト１１下降移動の際、シリンダシャフト１４の突出片１４４はスライダシャフト１１に形成された第２の長溝１１４が下部において屈曲されていることにより、防水布１３の布収納筒部１４２内への収納完了前においては、防水布１３を巻き付けることになって、防水布１３の収納をさらにスムーズに行うことができる。
【００８９】
スライダシャフト１１を最下方位置に移動して、スライダシャフト１１のフック係止溝１１５を元部側フック５４のメインフック５８に係止すると、露先収納装置２０のロック解除操作レバー２９を垂直スリット２８２から水平スリット２８１に移動して、露先収納リング２３で防水布１３の露先１３１を覆う。これによって、傘開閉部３(傘１)を閉じた状態にすることができ、その後、室内に入るときには、柄部６を脱着して、メインシャフト５の先端側に装着する。この作業は、柄部６に装着されたカバーリング４１を下方に移動させて、覆われていた着脱用ピン４２を表面に現して柄部６から抜くことによって行う。これは、短尺ピン４２２を長尺ピン４２１の軸方向に沿うように折り返した後、長尺ピン４２１から引き抜くことになる。着脱用ピン４２を脱着すれば、メインシャフト５の先端側にそのまま装着することになる。
【００９０】
閉じられた傘開閉部３は、防水布１３の表面側に雨水が付着されていることから、雨水は、傘開閉部３の内部に溜まることになり、閉じた傘開閉部３の外面、つまり防水布１３の裏面側には雨水は付着されていない。従って、傘開閉部３の内部に貯溜された雨水は、影響のない適当な場所に捨てれば、例えば、室内で持ち歩いても他人に迷惑をかけることがない。
【００９１】
上述のように、実施形態の逆閉じ用傘１では、主骨１２と第１支骨１５との間に、第１支骨１５を摺動する第２支骨１６を設けたことから、傘開閉部３の開閉時に、スライダシャフト１１の移動量を少なくしてスムーズの開閉を行うことができる。第２支骨１６は第１支骨１５に一端を摺動可能に枢着して他端を主骨１２に枢着しているから、主骨１２の先端側に配置させることができる。したがって、第２支骨１６で第１支骨１５とともに主骨１２を支持できることから、主骨１２を開いたときの強度を増すことができ、その分、主骨１２の長さを従来より長くすることができる。よって、防水布１３を大きくすることができて雨よけ部を広くすることができる。また、主骨１２を開いたときに強度を増すことができることは、傘開閉部３の開閉作用をスムーズにさせる。
【００９２】
また、実施形態の逆閉じ用傘１では、傘開閉部３を開く際に、シリンダシャフト１４の内周面に形成した突出片１４４がメインシャフト５の第１の長溝５０１に沿って移動してその上端部で移動停止をする。スライダシャフト１１がさらに移動を続けるため、主骨１２及び防水布１３が開くことになる。この際、突出片１４４をシリンダシャフト１４内に設けることによって、シリンダシャフト１４のスライダシャフト１１に対する摺動の際に、スライダシャフトに対するストッパ機能を有するストッパ部材を、メインシャフト５に配置することがないことから、メインシャフと５で防水布１３に絡む虞がなく、これによっても傘開閉部３の開閉をスムーズに行うことができる。
【００９３】
さらに、実施形態の逆閉じ用傘１では、露先収納装置２０を備えているから、傘開閉部３を閉じたときに、防水布１３の露先１３１を露先収納リング２３で収納することができる。
【００９４】
また、実施形態の逆閉じ用傘１では、柄部６の着脱装置４０を備えているから、雨中での使用時に、柄部６をメインシャフト５の元部に装着し、傘１の持ち歩き時に、メインシャフト５の先端側に装着して、防水布１３に溜まった雨の雫を、傘１内に溜めながら室内を歩行することができる。
【００９５】
また、実施形態の逆閉じ用傘１では、自動開張装置５０を備えているから、柄部６付近の押しボタン５６を押し込むことによって、主骨１２や防水布１３を自動的に開くことができる。これによって、降車時に片手でのワンタッチ操作ができるから、傘開閉部３の開張時に雨に濡れ難い。
【００９６】
なお、傘開閉部３において、防水布１３の先端部を下方に折り曲げることにより、雨の侵入をさらに防止することができる。つまり、第２の形態の傘開閉部３Ａは、図２４〜２５に示すように、前述の形態と同様に、メインシャフト５と、メインシャフト５を外嵌走行するスライダシャフト１１と、スライダシャフト１１を外嵌走行するシリンダシャフト１４とを備えて三重軸構造をなし、スライダシャフト１１の先端側には主骨支持部１１３が配置され、シリンダシャフト１４の元部側には、支骨支持部１４１が配置されている。
【００９７】
主骨１２Ａは主骨支持部１１３を中心に放射線状に複数配置されるとともに外面に防水布１３を装着している。また、主骨１２Ａは、防水布１３の広い部分を装着する主骨本体１２１と主骨支持部１１３に固着される主骨元部１２２とに分割して形成し、さらに主骨本体１２１の先端部に主骨先端部１２１ａを枢支可能に装着して主骨先端部１２１ａを下方に折り曲げ可能に構成している。そして主骨本体１２１と主骨元部１２２、主骨本体１２１と主骨先端部１２１ａとを枢着ピン１２３で枢着している。
【００９８】
第１支骨１５Ａは、主骨１２側に枢支する第１リンク部１５ａと支骨支持部１４１側に枢支する第２リンク部１５ｂとを備えて構成されている。第１リンク部１５ａと第２リンク部１５ｂとは、枢着ピン１２３で連結され、第１支骨１５Ａを屈曲可能に構成している。
【００９９】
第２支骨１６Ａは、一端を主骨１２Ａの主骨本体１２１に枢支させ、他端を第１支骨１５Ａの第２リンク部１５ｂに枢着ピン１２３で枢支させている。さらに、主骨１２Ａと第１支骨１５Ａとは、第１支骨１５Ａの第１リンク部１５ａと第２リンク部１５ｂとの連結部に補助支骨１６Ｂの一端を枢着ピン１２３で枢支するとともに、主骨先端部１２１ａに補助支骨１６Ｂの他端を枢着ピン１２３で枢支して連結されている。
【０１００】
これによって、傘を開くために、スライダシャフト１１をメインシャフト５に対して先端側に摺動させ、さらに摺動させることにより、スライダシャフト１１の主骨支持部１１３をシリンダシャフト１４の支骨支持部１４１から離隔させることになり、これにより主骨１２Ａを押し広げることになる。その結果、主骨元部１２２、主骨本体１２１、主骨先端部１２１ａ、第１支骨１５の第１リンク部１５ａ、第２リンク部１５ｂ、及び補助支骨１６Ｂは枢着ピン１２３によりそれぞれの作動が規制された動きとなって、主骨１２Ａは、外側へ反転することとなる。そのため、主骨１２Ａは、図２５の全開状態前から図２４の全開状態に作用することになり、主骨先端部１２１ａを、傘開閉部３Ａの内側に折曲することができ、雨の侵入をさらに防ぐことができる。
【０１０１】
傘を閉じる際に、主骨１２Ａは、主骨本体１２１と主骨元部１２２との間で折曲することができる。そのため、主骨１２Ａが開いた状態の位置に移行しても、折曲することによって、主骨１２Ａの先端部外周を最大径とすることがないから、防水布１３の外側へ広げることがなく、傘開閉部３Ａを閉じる作用をスムーズに行うことができる。
【符号の説明】
【０１０２】
１、傘
３、傘開閉部
５、メインシャフト
６、柄部
１１、スライダシャフト
１１２、手押し部
１１３、主骨支持部
１１４ａ、直線部
１１４ｂ、屈曲部
１１４ｃ、屈曲部
１１６、突出部
１２（１２Ａ）、主骨
１２１、主骨本体
１２１ａ、主骨先端部
１２２、主骨元部
１３、防水布
１４、シリンダシャフト
１４１、支骨支持部
１４２、布収納筒部
１４３、波状ガイド部
１５、第１支骨
１５１、支骨嵌入溝
１５２、屈曲部
１６（１６Ａ）、第２支骨
１７Ａ、補助支骨
１７、引張りコイルばね
２０、露先収納装置
２１、露先収納部
２３、露先収納リング
２４、露先収納リング支持部材
２４２、溝部
２５、押し上げロッド
２６、上部側コイルばね
２７、ロック機構部
２８、スリット部
２８１、水平スリット
２８２、垂直スリット
２９、ロック解除操作レバー
３０、下部側コイルばね
４０、柄部着脱装置
４１、カバーリング
４２、着脱用ピン
４３、波状板ばね
５０、自動開張装置
５３、圧縮コイルばね
５４、元部側フック
５６、押しボタン
５８、メインフック
５９、サブフック
【図１】
2011005224.tif 000003
【図２】
2011005224.tif 000004
【図３】
2011005224.tif 000005
【図４】
2011005224.tif 000006
【図５】
2011005224.tif 000007
【図６】
2011005224.tif 000008
【図７】
2011005224.tif 000009
【図８】
2011005224.tif 000010
【図９】
2011005224.tif 000011
【図１０】
2011005224.tif 000012
【図１１】
2011005224.tif 000013
【図１２】
2011005224.tif 000014
【図１３】
2011005224.tif 000015
【図１４】
2011005224.tif 000016
【図１５】
2011005224.tif 000017
【図１６】
2011005224.tif 000018
【図１７】
2011005224.tif 000019
【図１８】
2011005224.tif 000020
【図１９】
2011005224.tif 000021
【図２０】
2011005224.tif 000022
【図２１】
2011005224.tif 000023
【図２２】
2011005224.tif 000024
【図２３】
2011005224.tif 000025
【図２４】
2011005224.tif 000026
【図２５】
2011005224.tif 000027